【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
殺菌装置の製造方法において、
一つの表面を有する導光体と、
紫外線ビームが内部全反射により前記導光体に入射するように前記紫外線ビームを出射させるべく設けられている紫外線光源であって、前記紫外線ビームが前記導光体内で内部全反射されるように前記紫外線ビームを出射させる前記紫外線光源と、
を備えた殺菌装置であって、
物体が前記表面に接触又は接近する際に、前記導光体内で内部全反射する前記紫外線ビームによって形成されたエバネセント波が前記物体の付着物に照射されるように前記導光体の表面から抜け出て、前記付着物が前記抜け出た紫外線ビームのエバネセント波により死滅されるような殺菌装置を提供する工程を含むことを特徴とする殺菌装置の製造方法。
【請求項２】
前記物体が微生物を含むことを特徴とする請求項１記載の殺菌装置の製造方法。
【請求項３】
前記物体が哺乳動物の表皮を含むことを特徴とする請求項１記載の殺菌装置の製造方法。
【請求項４】
前記導光体が、前記表面に設けられている平坦領域を有することを特徴とする請求項１記載の殺菌装置の製造方法。
【請求項５】
前記導光体が中実の円柱状又は中空の円柱状を有することを特徴とする請求項１記載の殺菌装置の製造方法。
【請求項６】
前記殺菌装置が、前記導光体と前記紫外線光源との間に介装されているコリメートレンズを更に備えたことを特徴とする請求項１記載の殺菌装置の製造方法。
【請求項７】
前記殺菌装置が、前記物体が前記表面に接触又は接近したことを検知するように設けられているセンサを更に備えたことを特徴とする請求項１記載の殺菌装置の製造方法。
【請求項８】
前記殺菌装置が、
前記紫外線光源の状態を制御するように設けられているスイッチと、
所定間隔に基づいて前記スイッチを制御するように設けられているタイマと、
を更に備えたことを特徴とする請求項１記載の殺菌装置の製造方法。
【請求項９】
前記殺菌装置が、前記導光体と前記紫外線光源との間に介装されているプリズム、グレーティング又はホログラフィ光学素子を更に備えたことを特徴とする請求項１記載の殺菌装置の製造方法。
【請求項１０】
前記導光体の材料がガラス、ホウケイ酸ガラス、溶融シリカ、石英、サファイヤ、フッ化リチウム、フッ化マグネシウム、フッ化カルシウム、フッ化バリウム、合成樹脂、樹脂及び高分子からなる群から選ばれることを特徴とする請求項１記載の殺菌装置の製造方法。
【請求項１１】
前記導光体が可撓性を備えることを特徴とする請求項１記載の殺菌装置の製造方法。
【請求項１２】
殺菌装置であって、
一つの表面を有する導光体と、
紫外線ビームが内部全反射により前記導光体に入射するように前記紫外線ビームを出射させるべく設けられている紫外線光源であって、前記紫外線ビームが前記導光体内で内部全反射されるように前記紫外線ビームを出射させる前記紫外線光源と、
を備えており、
物体が前記表面に接触又は接近する際に、前記導光体内で内部全反射する前記紫外線ビームによって形成されたエバネセント波が前記物体の付着物に照射されるように前記導光体の表面から抜け出て、前記付着物が前記抜け出た紫外線ビームのエバネセント波により死滅されることを特徴とする殺菌装置。
【請求項１３】
殺菌装置であって、
一つの表面を有する導光体と、
紫外線ビームが内部全反射により前記導光体に入射するように前記紫外線ビームを出射させるべく設けられている紫外線光源であって、前記紫外線ビームが前記導光体内で内部全反射されるように前記紫外線ビームを出射させる前記紫外線光源と、
を備えており、
物体が前記表面に接触又は接近する際に、前記導光体内で内部全反射する前記紫外線ビームは漏れ(Frustrated)全反射現象により前記導光体の表面から抜け出て、該抜け出た紫外線ビームが前記物体の付着物に照射され、前記付着物が前記抜け出た紫外線ビームにより死滅されることを特徴とする殺菌装置。
【請求項１４】
前記物体が微生物を含むことを特徴とする請求項１２または１３記載の殺菌装置。
【請求項１５】
前記物体が哺乳動物の表皮を含むことを特徴とする請求項１２または１３記載の殺菌装置。
【請求項１６】
前記導光体が、前記表面に設けられている平坦領域を有することを特徴とする請求項１２または１３記載の殺菌装置。
【請求項１７】
前記導光体が中実の円柱状又は中空の円柱状を有することを特徴とする請求項１２または１３記載の殺菌装置。
【請求項１８】
前記導光体と前記紫外線光源との間に介装されているコリメートレンズを更に備えたことを特徴とする請求項１２または１３記載の殺菌装置。
【請求項１９】
前記物体が前記表面に接触又は接近したことを検知するように設けられているセンサを更に備えたことを特徴とする請求項１２または１３記載の殺菌装置。
【請求項２０】
前記紫外線光源の状態を制御するように設けられているスイッチと、
所定間隔に基づいて前記スイッチを制御するように設けられているタイマと、
を更に備えたことを特徴とする請求項１２または１３記載の殺菌装置。
【請求項２１】
前記導光体と前記紫外線光源との間に介装されているプリズム、グレーティング又はホログラフィ光学素子を更に備えたことを特徴とする請求項１２または１３記載の殺菌装置。
【請求項２２】
前記導光体の材料がガラス、ホウケイ酸ガラス、溶融シリカ、石英、サファイヤ、フッ化リチウム、フッ化マグネシウム、フッ化カルシウム、フッ化バリウム、合成樹脂、樹脂及び高分子からなる群から選ばれることを特徴とする請求項１２または１３記載の殺菌装置。
【請求項２３】
前記導光体が可撓性を備えることを特徴とする請求項１２または１３記載の殺菌装置。
【請求項２４】
殺菌式タッチパネルであって、
表示層と、
前記表示層上に形成されている透明タッチスクリーンと、
一つの表面を有する導光体と、
前記透明タッチスクリーンと前記導光体との間に設けられているスペーサと、
紫外線ビームが内部全反射により前記導光体に入射するように前記紫外線ビームを出射させるべく設けられている紫外線光源であって、前記紫外線ビームが前記導光体内で内部全反射されるように前記紫外線ビームを出射させる前記紫外線光源と、
を備えており、
物体が前記表面に接触又は接近する際に、前記導光体内で内部全反射する前記紫外線ビームは漏れ(Frustrated)全反射現象により前記導光体の表面から抜け出て、該抜け出た紫外線ビームが前記物体の付着物に照射され、前記付着物が前記抜け出た紫外線ビームにより死滅されることを特徴とする殺菌式タッチパネル。
【請求項２５】
前記物体が微生物を含むことを特徴とする請求項２４記載の殺菌式タッチパネル。
【請求項２６】
前記物体が哺乳動物の表皮を含むことを特徴とする請求項２４記載の殺菌式タッチパネル。
【請求項２７】
前記導光体が、前記表面に設けられている平坦領域を有することを特徴とする請求項２４記載の殺菌式タッチパネル。
【請求項２８】
前記導光体と前記紫外線光源との間に介装されているコリメートレンズを更に備えたことを特徴とする請求項２４記載の殺菌式タッチパネル。
【請求項２９】
前記導光体と前記紫外線光源との間に介装されているプリズム、グレーティング又はホログラフィ光学素子を更に備えたことを特徴とする請求項２４記載の殺菌式タッチパネル。
【請求項３０】
前記導光体の材料がガラス、ホウケイ酸ガラス、溶融シリカ、石英、サファイヤ、フッ化リチウム、フッ化マグネシウム、フッ化カルシウム、フッ化バリウム、合成樹脂、樹脂及び高分子からなる群から選ばれることを特徴とする請求項２４記載の殺菌式タッチパネル。
【請求項３１】
前記スペーサが、屈折率が前記導光体の屈折率以下である透明層であることを特徴とする請求項２４記載の殺菌式タッチパネル。